(57)【要約】【課題】顔の美容を行うことができる美容クリップおよび美容クリップの装着方法を提供することを目的とする。【解決手段】美容クリップ１は、顔の美容のためのクリップであり、美容クリップ１の被装着者の頬と耳を挟持する挟持部２と、挟持部２を開閉可能に保持する保持部３とを備え、挟持部２は、頬を支持する頬支持部４と、頬支持部４に対向し、耳を支持する耳支持部５とを有し、保持部３は、頬支持部４と耳支持部５とを開閉可能に保持している。【選択図】図２
2017144203.tif 000002
【特許請求の範囲】
【請求項１】
顔の美容のための美容クリップであって、
当該美容クリップの被装着者の頬と耳を挟持可能な挟持部と、
上記挟持部を開閉可能に保持する保持部とを備え、
上記挟持部は、上記頬を支持可能な第１支持部と、この第１支持部に対向し、上記耳の裏側を支持可能な第２支持部とを有し、
上記保持部は、上記第１支持部と上記第２支持部とを開閉可能に保持していることを特徴とする美容クリップ。
【請求項２】
上記第１支持部は、上記第２支持部と対向する面の少なくとも一部の面をなす層である表層部を有し、
上記表層部は、上記保持部よりも柔らかい材料で構成されていることを特徴とする請求項１に記載の美容クリップ。
【請求項３】
上記表層部は、外側から内側に向かって凹状に湾曲した湾曲部を有することを特徴とする請求項２に記載の美容クリップ。
【請求項４】
上記第１支持部は、上記第２支持部と対向する面の少なくとも一部の面をなす層である表層部を有し、
上記表層部は、外側から内側に向かって凹状に湾曲した湾曲部を有することを特徴とする請求項１に記載の美容クリップ。
【請求項５】
上記表層部は、表面に吸盤を有することを特徴とする請求項２〜４のいずれかに記載の美容クリップ。
【請求項６】
上記表層部は、樹脂を含む材料で構成されていることを特徴とする請求項２〜５のいずれかに記載の美容クリップ。
【請求項７】
上記第２支持部は、上記第１支持部と対向する面の少なくとも一部の面をなす先端部を有し、
上記先端部は、上記保持部よりも柔らかい材料で構成されていることを特徴とする請求項１〜６のいずれかに記載の美容クリップ。
【請求項８】
上記第１支持部は、上記第２支持部と対向する面の面積が、上記第２支持部において上記第１支持部と対向する面の面積よりも大きいことを特徴とする請求項１〜７のいずれかに記載の美容クリップ。
【請求項９】
上記保持部は、上記第１支持部と上記第２支持部とを回転動作によって開閉させるとともに、この回転動作の回転軸をなす回転支持部を有することを特徴とする請求項１〜８のいずれかに記載の美容クリップ。
【請求項１０】
上記保持部は、上記第１支持部を保持する第１保持部と、
上記第２支持部を保持する第２保持部と、
上記第１支持部と上記第２支持部とが開いた状態から閉じた状態になるように上記第１保持部と上記第２保持部とを付勢する付勢手段とを有することを特徴とする請求項１〜９のいずれかに記載の美容クリップ。
【請求項１１】
顔の美容のための美容クリップであって、当該美容クリップの被装着者の頬と耳を挟持する挟持部と、上記挟持部を開閉可能に保持する保持部とを備え、上記挟持部は、上記頬を支持可能な第１支持部と、この第１支持部に対向し、上記耳の裏側を支持する第２支持部とを有する美容クリップの装着方法であって、
上記顔の両側面のうちの一方の側面における上記頬の皮膚を上記耳側に引っ張る工程と、
上記頬の上記皮膚を上記耳側に引っ張った状態で、上記第１支持部を上記頬に接触させて上記頬を支持し、上記第２支持部を上記耳の裏側に接触させて上記耳を支持し、上記頬と上記耳を上記挟持部で挟む工程とを備えたことを特徴とする美容クリップの装着方法。
【発明の詳細な説明】
【技術分野】
【０００１】      本発明は、美容器具に係り、さらに詳しくは顔用の美容器具に関するものである。
【背景技術】
【０００２】      近年、特に女性の間では、美容のために顔の皺を見えにくくしたり、小顔に見えるようにしたりするために、顔に美容整形や美容のための薬物の投与などを施す者が少なくない。
【発明の概要】
【発明が解決しようとする課題】
【０００３】      上述したような美容整形や薬物の投与などは、必ずしも万全ではなく、副作用や後遺症などのリスクが伴うという課題がある。【０００４】      本発明は、上記のようなリスクを伴うことなく、顔の美容を行うことができる美容クリップおよび美容クリップの装着方法を提供することを目的とするものである。
【課題を解決するための手段】
【０００５】      本発明の一側面の美容クリップは、顔の美容のための美容クリップであって、当該美容クリップの被装着者の頬と耳を挟持可能な挟持部と、上記挟持部を開閉可能に保持する保持部とを備え、上記挟持部は、上記頬を支持可能な第１支持部と、この第１支持部に対向し、上記耳の裏側を支持可能な第２支持部とを有し、上記保持部は、上記第１支持部と上記第２支持部とを開閉可能に保持している。【０００６】      また、本発明の別の一側面の美容クリップは、上記第１支持部が、上記第２支持部と対向する面の少なくとも一部の面をなす層である表層部を有する。【０００７】      また、本発明の別の一側面の美容クリップは、上記表層部が、上記保持部よりも柔らかい材料で構成されている。【０００８】      また、本発明の別の一側面の美容クリップは、上記表層部が、外側から内側に向かって凹状に湾曲した湾曲部を有する。【０００９】      また、本発明の別の一側面の美容クリップは、上記表層部が、表面に吸盤を有する。【００１０】      また、本発明の別の一側面の美容クリップは、上記表層部が、樹脂を含む材料で構成されている。【００１１】      また、本発明の別の一側面の美容クリップは、上記第２支持部が、上記第１支持部と対向する面の少なくとも一部の面をなす先端部を有し、上記先端部は、上記保持部よりも柔らかい材料で構成されている。【００１２】      また、本発明の別の一側面の美容クリップは、上記第１支持部は、上記第２支持部と対向する面の面積が、上記第２支持部において上記第１支持部と対向する面の面積よりも大きい。【００１３】      また、本発明の別の一側面の美容クリップは、上記保持部は、上記第１支持部と上記第２支持部とを回転動作によって開閉させるとともに、この回転動作の回転軸をなす回転支持部を有する。【００１４】      また、本発明の別の一側面の美容クリップは、上記保持部が、上記第１支持部を保持する第１保持部と、上記第２支持部を保持する第２保持部と、上記第１支持部と上記第２支持部とが開いた状態から閉じた状態になるように上記第１保持部と上記第２保持部とを付勢する付勢手段とを有する。【００１５】      また、本発明の一側面の美容クリップの装着方法は、顔の美容のための美容クリップであって、当該美容クリップの被装着者の頬と耳を挟持する挟持部と、上記挟持部を開閉可能に保持する保持部とを備え、上記挟持部は、上記頬を支持可能な第１支持部と、この第１支持部に対向し、上記耳の裏側を支持する第２支持部とを有する美容クリップの装着方法であって、上記顔の両側面のうちの一方の側面における上記頬の皮膚を上記耳側に引っ張る工程と、上記頬の上記皮膚を上記耳側に引っ張った状態で、上記第１支持部を上記頬に接触させて上記頬を支持し、上記第２支持部を上記耳の裏側に接触させて上記耳を支持し、上記頬と上記耳を上記挟持部で挟む工程とを備える。
【図面の簡単な説明】
【００１６】
【図１】本発明の実施の形態による美容クリップ１の一構成例を示した図であり、美容クリップ１が閉じた状態の一例を示したものである。
【図２】本発明の実施の形態による美容クリップ１の一構成例を示した図であり、美容クリップ１が開いた状態の一例を示したものである。
【図３】本発明の実施の形態による美容クリップ１の一構成例を示した図であり、（ａ）は、頬支持部４の表層部１１が設けられた側とは反対側から美容クリップ１を見たときの一例を示したものであり、（ｂ）は、頬支持部４の表層部１１が設けられた側から美容クリップ１を見たときの一例を示したものである。
【発明を実施するための形態】
【００１７】      図１〜３は、本発明の美容クリップの一実施形態を示した図である。この美容クリップ１は、顔の美容のために用いるクリップであり、被装着者の顔の皮膚を伸ばした状態、または顔の皮膚を引き締めた状態で顔を保持することによって、健康的かつ安全に顔の皺などを見えにくくし、あるいは小顔に見えるようにする美容器具である。例えば、被装着者が、顔の両側面のうちの一方の側面における頬の皮膚を耳側に引っ張った状態で、頬と耳の裏側とを一つの美容クリップ１で挟み、顔の他方の側面も同様にもう一つの美容クリップ１で挟む。これにより、いわゆるほうれい線などの顔の皺を見えにくくするとともに、小顔に見えるようにすることができる。ここで、頬とは、耳と口との間の部分、耳と鼻との間の部分、および耳と目との間の部分をいうものとする。なお、被装着者とは、美容クリップ１の被装着者であり、例えば、一般の成人女性である。
【００１８】      美容クリップ１は、一端側に形成され、被装着者の頬から耳までを支持しながら挟持する挟持部２と、他端側に形成され、挟持部２を保持する保持部３とを備える。
【００１９】      挟持部２は、顔の両側面のうちの一側面における頬と耳とを挟持可能な部分であり、頬を支持する頬支持部４（第１支持部の例）と、耳の裏側すなわち耳の後頭部側の部分を支持する耳支持部５（第２支持部の例）とを一対の支持部ないし一対の挟持部として備えており、これらの頬支持部４と耳支持部５とは互いに対向した状態で保持部３に保持されている。このように、挟持部２は、美容クリップ１の使用状態において、頬支持部４を頬に接触させて頬を支持するとともに、耳支持部５を耳の裏側に接触させて耳を支持して、頬から耳までを挟む部分である。ここで、美容クリップ１の使用状態とは、例えば、被装着者が、顔の両側面のうちの一方の側面における頬の皮膚を耳側に引っ張った状態で、頬のうちの耳側付近の部分（例えば、こめかみの辺りの部分）と耳の裏側の部分とを一つの美容クリップ１で挟み、顔の他方の側面も同様にもう一つの美容クリップ１で挟んだ状態のことである。
【００２０】      美容クリップ１には、開いた状態と閉じた状態とがあり、閉じた状態は、美容クリップ１を被装着者の頬から耳にかけて装着している状態、すなわち頬支持部４と耳接触部５とで頬から耳までを挟持している状態である一方、開いた状態は、美容クリップ１を頬や耳から取外し可能な状態である。例えば、挟持部２すなわち頬支持部４と耳支持部５は、上記の閉じた状態では、図１に示すように、互いに最も接近した状態または接触した状態となる一方、上記の開いた状態では、図２に示すように、互いに最も離れた状態となる。
【００２１】      ここで、頬支持部４と耳支持部５とは、保持部３を中心とした回転動作によって互いに近づいたり、遠ざかったりするように回転動作可能に構成されている。この回転動作によって、美容クリップ１を閉じたり開いたりすることができるようになっている。
【００２２】      保持部３は、頬支持部４と耳支持部５とを保持する部分である。保持部３は、Ｕ字状またはＶ字状の形状を有し、各先端に頬支持部４と耳支持部５とを保持している。換言すると、保持部３は、二股に分かれた形状を有し、二股に分かれて延びた先の部分である二つの先端のうちの一つの先端に頬支持部４を保持するとともに、もう一つの先端に耳支持部５を保持している。保持部３は、例えば、金属で構成されている。
【００２３】      保持部３は、二股に分かれて延びた部分のうちの一方の部分であるとともに頬支持部４を保持する部分である頬側保持部６（第１保持部の例）と、二股に分かれて延びた部分のうちの他方の部分であるとともに、耳支持部５を保持する部分である耳側保持部７（第２保持部の例）とを備える。
【００２４】      また、保持部３は、頬支持部４と耳支持部５とが回転動作によって互いに近づいたり遠ざかったりするときにこの回転動作の中心となる部分である回転支持部８を備える。
【００２５】      頬側保持部６は、当該保持部３の回転支持部８と頬支持部４とを繋ぐ部分である。つまり、頬側保持部６は、一端が回転支持部８に連結し、他端が頬支持部４に連結している。
【００２６】      耳側保持部７は、当該保持部３の回転支持部８と耳支持部５とを繋ぐ部分である。つまり、耳側保持部７は、一端が回転支持部８に連結し、他端が耳支持部５に連結している。
【００２７】      回転支持部８は、例えば、蝶番やヒンジからなる部分である。これにより、回転支持部８は、当該回転支持部８に繋がっている頬側保持部６と耳側保持部７とを回転動作によって互いに近づけたり遠ざけたりするように構成されている。そして、回転支持部８は、頬側保持部６と耳側保持部７とを回転させる際の回転軸になる部分であり、頬側保持部６の一端を回転軸側の端部として頬側保持部６を回転可能に構成されており、また、耳側保持部７の一端を回転軸側の端部として耳側保持部７を回転可能に構成されている。なお、回転支持部８は、互いに近づいた状態の頬側保持部６と耳側保持部７とを互いに遠ざかった状態にする場合に、耳側保持部７を頬側保持部６に対して、例えば、略９０度回転させるように構成されている。
【００２８】      また、保持部３は、頬側保持部６と耳側保持部７とが互いに遠ざかった状態すなわち美容クリップ１が広がった状態から、頬側保持部６と耳側保持部７とが互いに近づいた状態すなわち美容クリップ１が閉じた状態になるように頬側保持部６と耳側保持部７とに力を加える付勢手段である弾性部材９を有する。
【００２９】      弾性部材９は、例えば、つるまきバネや板バネなどのバネである。弾性部材９は、頬側保持部６と耳側保持部７とにその復元力を伝達可能に繋がっており、頬側保持部６と耳側保持部７とが互いに近づいた状態から、頬側保持部６と耳側保持部７とが互いに遠ざかった状態になるように保持部３を変形させたときに、弾性部材９に力が加えられて弾性部材９が変形し、このときに生じる弾性部材９の復元力により、弾性部材９が、頬側保持部６と耳側保持部７とを互いに近づける方向に力を加える。これにより、頬から耳にかけて美容クリップ１で挟んだ状態を保持する力を加えることができる。
【００３０】      また、耳側保持部７は、耳支持部５を通す貫通孔１０を有している。この貫通孔１０は、耳支持部５の基部１４を貫通可能な大きさの径を有している。このように耳側保持部７に貫通孔１０を設け、貫通孔１０に耳支持部５を通すことによって、耳側保持部７は耳支持部５を保持している。
【００３１】      再び、挟持部２について説明する。挟持部２の一部を構成する頬支持部４は、美容クリップ１の使用状態において、当該頬支持部４の内側となる部分のうちの少なくとも一部の表面をなす層である表層部１１を有する。換言すると、頬支持部４は、耳支持部５と対向する部分の少なくとも一部の表面をなす層である表層部１１を有する。また、頬支持部４は、四角柱状を呈し、その側面のうちの耳支持部５と対向する側面において表層部１１を有する。ここでは、頬支持部４は、細長い形状を有しており、表層部１１は、頬支持部４の長手方向に沿った細長い形状を有している。なお、頬支持部４の形状はこのような形状に限られず、例えば、三角柱状を呈し、その側面のうちの耳支持部５と対向する側面において表層部１１を有するものであっても良い。あるいは、頬支持部４は、半円柱状を呈し、その側面のうちの平面状かつ四角形状をなす面において表層部１１を有するものであっても良い。
【００３２】      表層部１１は、被装着者の頬の皮膚に接触させる部分であり、美容クリップ１の保持力を高めるために、密着性ないしフィット性の高い材料で構成されていることが望ましい。このため、表層部１１は、比較的柔らかい材料で構成されている。具体的には、表層部１１は、保持部３よりも柔らかい材料で構成されている。例えば、表層部１１は、シリコーンなどの樹脂で構成されている。このような構成により、表層部１１が金属などの比較的硬い材料で構成されている場合と比べて、表層部１１と被装着者の頬との密着性ないしフィット性を高めることができ、また、頬に対して表層部１１が滑りにくくなるため、しっかりと頬を支持することができる。また、上記のような構成により、表層部１１が比較的硬い材料で構成されている場合と比べて、被装着者が、頬と耳とを美容クリップ１によって挟まれたときに美容クリップ１の圧力による痛みを感じにくい。
【００３３】      また、表層部１１は、その表面において、断面形状が内側に向かって凹状をなす弧状の形状である湾曲部１２を有する。あるいは、表層部１１は、その表面において、外側から内側に向かって凹状に湾曲した形状を有する湾曲部１２を有する。これにより、表層部１１の表面形状が平らな形状である場合と比べて、表層部１１が、丸みを帯びた頬に対して、密着性ないしフィット性を高めることができる。なお、湾曲部１２は、被装着者の頬に合わせた曲率を有することが望ましい。
【００３４】      また、表層部１１の表面には、吸盤１３が設けられている。吸盤１３は、表層部１１の材料と同様に、保持部３よりも柔らかい材料ないし可撓性を有する材料で構成されており、シリコーンなどの樹脂で構成されている。このような構成により、被装着者が美容クリップ１を装着する際に、頬支持部４を頬に押しつけることで、頬支持部４の表面に形成された吸盤１３と頬との間が真空に近い状態となり、吸盤１３が頬に吸着し、頬と頬支持部４ないし表層部１１との密着性ないしフィット性を高めることができる。なお、ここでは、吸盤１３は、表層部１１の長手方向に沿って複数設けられているが、このような構成に限られず、吸盤１３は、１つのみ設けられていてもよく、表層部１１を覆うように１つの吸盤１３が設けられていても良い。
【００３５】      次に、挟持部２の一部を構成する耳支持部５の構成の詳細について説明する。耳支持部５は、細長い形状を有しており、保持部３の耳側保持部７に設けられた貫通孔１０に通されている。耳支持部５は、当該耳支持部５の本体部分となる基部１４と、基部１４の先端に形成されるとともに、美容クリップ１の使用状態において耳の裏側に接触する部分である先端部１５と、基部１４の後端に形成されるとともに、当該耳支持部５の位置を調整する際に調整用の摘みとなる把持部１６とを有する。
【００３６】      先端部１５は、被装着者の耳の裏側に接触させる部分であり、美容クリップ１の保持力を高めるために、密着性の高い材料で構成されていることが望ましい。このため、先端部１５は、比較的柔らかい材料で構成されている。具体的には、先端部１５は、保持部３よりも柔らかい材料で構成されている。例えば、先端部１５は、シリコーンなどの樹脂で構成されている。このような構成による効果については、頬支持部４の表層部１１と同様であるため割愛する。
【００３７】      また、先端部１５は、その表面において、断面形状が内側に向かって凹状をなす弧状の形状である先端湾曲部１７を有する。あるいは、先端部１５は、その表面において、外側から内側に向かって凹状に湾曲した形状を有する先端湾曲部１７を有する。これにより、先端部１５の表面形状が平らな形状である場合と比べて、先端部１５が、丸みを帯びた耳の裏側に対して、密着性ないしフィット性を高めることができる。なお、先端部１５の先端湾曲部１７は、被装着者の耳の裏側の形に合わせた曲率の形状を有することがより望ましい。
【００３８】      また、先端部１５の表面には、不図示の吸盤が設けられている。この吸盤は、先端部１５の材料と同様に、保持部３よりも柔らかい材料ないし可撓性を有する材料で構成されており、シリコーンなどの樹脂で構成されている。このような構成による効果については、頬支持部４の吸盤１３と同様であるため割愛する。
【００３９】      基部１４は、細長い円柱状の形状を有しており、保持部３の耳側保持部７に設けられた貫通孔１０に通された部分である。基部１４の側面には不図示のネジ山が形成されており、耳側保持部７に設けられた貫通孔１０には、このネジ山に対応する不図示のネジ溝が設けられたネジ穴が形成されている。換言すると、基部１４には雄ネジが設けられ、耳側保持部７の貫通孔１０には、この雄ネジに対応する雌ネジが設けられている。これにより、耳支持部５を回転させることによって、耳側保持部７を基準として耳支持部５を頬支持部４側に近づけたり遠ざけたりするように構成されている。
【００４０】      把持部１６は、前述のように、被装着者が耳支持部５の位置を調整する際の摘みとなる部分である。従って、被装着者が、把持部１６を回すことにより、把持部１６の回転に伴って基部１４も回転し、耳側保持部７を基準として耳支持部５の先端接触部を頬接触部に近づけたり、頬接触部から遠ざけたりするように構成されている。
【００４１】      また、頬支持部４と耳支持部５との相対的な大きさについて説明する。頬支持部４において耳支持部５と対向する面の面積は、耳支持部５において頬支持部４と対向する面の面積よりも大きくなるように構成されている。一般に、頬の面積の方が耳の裏側の面積よりも大きいため、上記のような構成により、美容クリップ１のバランスのとれた保持力を得ることができる。
【００４２】      以上のように、本実施形態によると、美容クリップ１は、顔の美容のためのクリップであり、美容クリップ１の被装着者の頬と耳を挟持する挟持部２と、挟持部２を開閉可能に保持する保持部３とを備え、挟持部２は、頬を支持する頬支持部４と、頬支持部４に対向し、耳の裏側を支持する耳支持部５とを有し、保持部３は、頬支持部４と耳支持部５とを開閉可能に保持している。このような構成により、被装着者が、当該美容クリップ１の挟持部２を開いた状態で、顔の一方の頬に頬支持部４を接触させて頬を支持するとともに、耳の裏側に耳支持部５を接触させて耳を支持し、その後に挟持部２を閉じることで頬から耳までを挟むことができ、顔の他方の側面も同様に挟持部２で挟むことができる。これにより、被装着者のほうれい線などの顔の皺を見えにくくするとともに、小顔に見えるようにすることができる。
【００４３】      また、頬支持部４は、耳支持部５と対向する面の少なくとも一部の面をなす層である表層部１１を有し、表層部１１は、保持部３よりも柔らかい材料で構成されている。このような構成により、表層部１１が比較的硬い材料で構成されている場合と比べて、表層部１１と被装着者の頬との密着性ないしフィット性を高めることができ、また、頬に対する表層部１１の摩擦力によって頬に対して表層部１１が滑りにくくなるため、しっかりと頬を支持することができる。一方、保持部３は、表層部１１よりも硬い材料で構成されており、比較的強固ないし頑丈に頬支持部４と耳支持部５とを保持することができる。さらに、上記のような構成により、表層部１１が比較的硬い材料で構成されている場合と比べて、被装着者が、頬と耳とを美容クリップ１によって挟まれたときに美容クリップ１の圧力による痛みを感じにくい。
【００４４】      また、表層部１１は、外側から内側に向かって凹状に湾曲した湾曲部１２を有している。このような構成により、表層部１１の表面形状が平らな形状である場合と比べて、表層部１１が、丸みを帯びた頬に対して、密着性ないしフィット性を高めることができる。
【００４５】      また、表層部１１は、表面に吸盤１３を有している。このような構成により、被装着者が美容クリップ１を装着する際に、頬支持部４を頬に押しつけることで、頬支持部４の表面に形成された吸盤１３と頬との間が真空に近い状態となり、吸盤１３が頬に吸着し、頬と頬支持部４ないし表層部１１との密着性ないしフィット性を高めることができる。
【００４６】      また、表層部１１は、樹脂を含む材料で構成されている。このような構成により、表層部１１が金属などの比較的硬い材料で構成されている場合と比べて、表層部１１と被装着者の頬との密着性ないしフィット性を高めることができ、また、頬に対する表層部１１の摩擦力によって頬に対して表層部１１が滑りにくくなるため、しっかりと頬を支持することができる。また、上記のような構成により、表層部１１が比較的硬い材料で構成されている場合と比べて、被装着者が、頬と耳とを美容クリップ１によって挟まれたときに美容クリップ１の圧力による痛みを感じにくい。
【００４７】      また、耳支持部５は、頬支持部４と対向する面の少なくとも一部の面をなす先端部１５を有し、先端部１５は、保持部３よりも柔らかい材料で構成されている。このような構成により、先端部１５が比較的硬い材料で構成されている場合と比べて、先端部１５と被装着者の耳との密着性ないしフィット性を高めることができ、また、耳に対する先端部１５の摩擦力によって耳に対して先端部１５が滑りにくくなるため、しっかりと耳を支持することができる。また、上記のような構成により、先端部１５が比較的硬い材料で構成されている場合と比べて、被装着者が、頬と耳とを美容クリップ１によって挟まれたときに美容クリップ１の圧力による痛みを感じにくい。
【００４８】      また、頬支持部４は、耳支持部５と対向する面の面積が、耳支持部５において頬支持部４と対向する面の面積よりも大きい。一般に、頬の面積の方が耳の裏側の面積よりも大きいため、上記のような構成により、美容クリップ１のバランスのとれた保持力を得ることができる。
【００４９】      また、保持部３は、頬支持部４と耳支持部５とを回転動作によって開閉させるとともに、この回転動作の回転軸である回転支持部８を有している。このような構成により、挟持部２を開いた状態において、挟持部２の先端側、すなわち頬支持部４と耳支持部５との各先端側が最も開いた状態となるため、被装着者が挟持部２で頬と耳を挟持し易い。
【００５０】      また、保持部３は、頬支持部４と耳支持部５とが互いに開いた状態から、閉じた状態になるように頬側保持部６と耳側保持部７とを付勢する付勢手段を有する。このような構成により、被装着者の頬から耳にかけて挟持部２で挟んだ状態を保持する力を加えることができ、美容クリップ１の保持力を高めることができる。
【００５１】    また、顔の美容のための美容クリップ１の装着方法は、被装着者の顔の両側面のうちの一方の側面における頬の皮膚を耳側に引っ張る工程と、頬の皮膚を耳側に引っ張った状態で、頬支持部４を頬に接触させて頬を支持し、耳支持部５を耳の裏側に接触させて耳を支持し、頬と耳を挟持部２で挟む工程とを備えたものである。これにより、被装着者の顔の皮膚を伸ばした状態、あるいは顔の皮膚を引き締めた状態で顔を保持することができ、被装着者のほうれい線やいわゆる二重アゴのもととなる皺などの顔の皺を見えにくくするとともに、小顔に見えるようにすることができる。
【符号の説明】
【００５２】１    美容クリップ
２    挟持部
３    保持部
４    頬支持部（第１支持部の例）
５    耳支持部（第２支持部の例）
６    頬側保持部（第１保持部の例）
７    耳側保持部（第２保持部の例）
８    回転支持部
９    弾性部材
１０  貫通孔
１１  表層部
１２  湾曲部
１３  吸盤
１４  基部
１５  先端部
１６  把持部
１７  先端湾曲部
【図１】
2017144203.tif 000003
【図２】
2017144203.tif 000004
【図３】
2017144203.tif 000005